(57)【要約】      （修正有）【課題】飛しょう体を迅速かつ安定して発射できる車両搭載架台及び飛しょう体発射装置を提供する。【解決手段】車両搭載架台１０１は、車両２００と別体に設けられ、被積載物を載置するプレート部と、プレート部の辺縁部に設けられる複数のアウトリガ１０２と、車両２００とプレート部とを連結するワイヤと、ワイヤを巻き取る巻き取り装置１０３と、を備える。飛しょう体発射装置１００は、車両搭載架台１０１と、飛しょう体発射機構２０１と、を備える。移動時にはワイヤを巻き取り、アウトリガ１０２を収縮させることにより、飛しょう体発射装置１００を車両２００に固定する。飛しょう体発射時にはワイヤを車両搭載架台１０１がアウトリガ１０２を伸長させることによりフレーム３００から浮き上がった分だけ伸ばし、拘束燃焼時にも転倒を防止する。【選択図】図１
2012127620.tif 000002
【特許請求の範囲】
【請求項１】
車両と別体に設けられ、被積載物を載置するプレート部と、
前記プレート部の辺縁部に設けられる複数のアウトリガと、
前記車両と前記プレート部とを連結するワイヤと、
前記ワイヤを巻き取る巻き取り装置と、
を備える車両搭載架台。
【請求項２】
前記巻き取り装置は、
車両移動時に前記ワイヤを巻き取り、
被積載物稼働時に前記アウトリガが伸長することによって前記プレート部が前記車両から浮き上がる分だけ前記ワイヤを伸ばす請求項１記載の車両搭載架台。
【請求項３】
飛しょう体を発射する飛しょう体発射機構と、
車両と別体に設けられ、前記飛しょう体発射機構を載置するプレート部と、前記プレート部の辺縁部に設けられる複数のアウトリガと、前記車両と前記プレート部とを連結するワイヤと、前記ワイヤを巻き取る巻き取り装置と、を備える車両搭載架台と、
を備える飛しょう体発射装置。
【請求項４】
前記巻き取り装置は、
車両移動時に前記ワイヤを巻き取り、
飛しょう体発射時に前記アウトリガが伸長することによって前記プレート部が前記車両から浮き上がる分だけ前記ワイヤを伸ばす請求項３記載の飛しょう体発射装置。
【発明の詳細な説明】
【技術分野】
【０００１】
本発明の実施形態は、車両搭載架台及び飛しょう体発射装置に関する。
【背景技術】
【０００２】
飛しょう体を発射位置に移動させるにはトラックなどの貨物自動車が使用される。貨物自動車には飛しょう体発射装置を固定する架台が搭載される。飛しょう体を発射する場合には架台のアウトリガを用いて飛しょう体発射装置を安定に支持する。
【０００３】
従来の飛しょう体発射装置は、架台を貨物自動車にフックを用いて固定していた。飛しょう体を発射する場合にはこのフックを解除し、貨物自動車と架台とを分離する必要があった。
【先行技術文献】
【特許文献】
【０００４】
【特許文献１】特開平６−１０１９９５号公報
【発明の概要】
【発明が解決しようとする課題】
【０００５】
しかし、飛しょう体が発射装置から発射されずに燃料が燃焼噴射する拘束燃焼が起きることがある。架台を貨物自動車から分離して飛しょう体を発射すると、この拘束燃焼が起きた場合架台が転倒することがある。
【０００６】
したがって、飛しょう体を迅速かつ安定して発射できる車両搭載架台及び飛しょう体発射装置が求められている。
【課題を解決するための手段】
【０００７】
上記の課題を解決するために、本実施形態は車両と別体に設けられ、被積載物を載置するプレート部と、プレート部の辺縁部に設けられる複数のアウトリガと、車両とプレート部とを連結するワイヤと、ワイヤを巻き取る巻き取り装置と、を備える車両搭載架台を提供する。
【図面の簡単な説明】
【０００８】
【図１】飛しょう体発射装置の側面図である。
【図２】飛しょう体発射装置の図１におけるＸ矢視図である。
【図３】車両搭載架台の主要部分を示す斜視図である。
【図４】巻き取り装置の主要部を示す斜視図である。
【図５】アンカーがフレームに、モータとローラが車両搭載架台に固定される例を示す図である。
【図６】飛しょう体発射時の飛しょう体発射装置の側面図である。
【図７】飛しょう体発射時の飛しょう体発射装置の図６におけるＸ矢視図である。
【発明を実施するための形態】
【０００９】
以下、車両搭載架台及び飛しょう体発射装置の一実施形態について、図面を用いて詳細に説明する。
【００１０】
本実施形態の車両搭載架台は、車両と別体に設けられ、被積載物を載置するプレート部と、プレート部の辺縁部に設けられる複数のアウトリガと、車両とプレート部とを連結するワイヤと、ワイヤを巻き取る巻き取り装置と、を備える。
【００１１】
図１は、本実施形態に係る飛しょう体発射装置１００の側面図である。図２は、飛しょう体発射装置１００の図１におけるＸ矢視図である。図３は、車両搭載架台１０１の主要部分を示す斜視図である。
【００１２】
図１乃至図３に示すように、飛しょう体発射装置１００は車両２００のフレーム３００に搭載される。
【００１３】
飛しょう体発射装置１００は、車両搭載架台１０１と、飛しょう体発射機構２０１と、を備える。飛しょう体発射機構２０１は、水平方向に３６０度回転可能な回転テーブルと、飛しょう体の仰角及び俯角を調整する角度調整機構と、飛しょう体を収納する収納装置と、を備える。
【００１４】
車両搭載架台１０１は、被積載物である回転テーブルを載置するプレート部１０１Ａと、長方形をなすプレート部１０１Ａの辺縁部の四隅に１本ずつ設けられるアウトリガ１０２と、車両搭載架台１０１の車両２００の進行方向前後に配置される巻き取り装置１０３と、を備える。
【００１５】
アウトリガ１０２は、車両搭載架台１０１に４つ設けられる。巻き取り装置１０３は車両のフレーム３００に係止される。車両２００がフレーム３００を２本有している場合には、巻き取り装置１０３はフレーム３００の数の２倍の数である４つ設けられる。
【００１６】
プレート部１０１Ａは車両２００の進行方向前後にそれぞれ巻き取り装置１０３の数ずつアンカー１０３Ｄを備える。本実施形態の場合、アンカー１０３Ｄは４つ設けられる。アンカー１０３Ｄにはワイヤ１０３Ｆの一端が固定される。
【００１７】
図４は、巻き取り装置１０３の主要部を示す斜視図である。図４に示すように、巻き取り部１０３は、ワイヤ１０３Ｆと、ワイヤ１０３Ｆの一端を係止するアンカー１０３Ｄと、ワイヤ１０３Ｆを掛けるローラ１０３Ｃと、ワイヤ１０３Ｆを巻き取る軸体１０３Ｂを有するモータ１０３Ａと、を備える。
【００１８】
モータ１０３Ａは、正転してワイヤ１０３Ｆを巻き取り、逆転してワイヤ１０３Ｆを伸ばす。
【００１９】
モータ１０３Ａとローラ１０３Ｃとはフレーム３００に固定される。アンカー１０３Ｄは車両搭載架台１０１に固定される。
【００２０】
図５は、アンカー１０３Ｄがフレーム３００に、モータ１０３Ａとローラ１０３Ｃが車両搭載架台１０１に固定される例を示す図である。図５に示すように、この例においても車両２００の進行方向前後に巻き取り装置１０３が設置される。
【００２１】
ここで、車両搭載架台１０１及び飛しょう体発射装置１００の使用方法について説明する。飛しょう体を運搬する際は、図１及び図２に示すように、アウトリガ１０２を収縮させ、モータ１０３Ａによりワイヤ１０３Ｆを巻き取る。
【００２２】
したがって、飛しょう体発射装置１００は車両２００に固定され、車両が移動してもずれない。
【００２３】
図６は、飛しょう体発射時の飛しょう体発射装置１００の側面図である。図７は、飛しょう体発射時の飛しょう体発射装置１００の図６におけるＸ矢視図である。
【００２４】
図６及び図７に示すように、飛しょう体を発射する場合にはアウトリガ１０２を伸長させ、モータ１０３Ａは逆転して車両搭載架台１０１がフレーム３００から浮き上がった分だけワイヤ１０３Ｆを伸ばす。
【００２５】
従って、ワイヤ１０３Ｆに拘束されることなく、飛しょう体発射装置１００はアウトリガ１０２の長さを調節することにより高さや傾きを調整することができる。
【００２６】
飛しょう体発射装置１００はワイヤ１０３Ｆを介して車両２００に連結している。したがって、拘束燃焼が起きても車両重量によって飛しょう体発射装置１００が転倒することを防止することができる。
【００２７】
以上述べたように、本実施形態の車両搭載架台１０１は、車両２００と別体に設けられ、被積載物を載置するプレート部１０１Ａと、プレート部１０１Ａの辺縁部に設けられる複数のアウトリガ１０２と、車両２００とプレート部１０１Ａとを連結するワイヤ１０３Ｆと、ワイヤ１０３Ｆを巻き取る巻き取り装置１０３と、を備える。飛しょう体発射装置１００は、車両搭載架台１０１と、飛しょう体発射機構２０１と、を備える。
【００２８】
従って、移動時にはワイヤ１０３Ｆを巻き取り、アウトリガ１０２を収縮させることにより、飛しょう体発射装置１００を車両２００に固定することが可能となり、飛しょう体発射時にはワイヤ１０３Ｆを車両搭載架台１０１がアウトリガ１０２を伸長させることによりフレーム３００から浮き上がった分だけ伸ばし、拘束燃焼時にも転倒を防止することが可能となるという効果がある。
【００２９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００３０】
１００：飛しょう体発射装置、
１０１：車両搭載架台、
１０２：アウトリガ、
１０３：巻き取り装置、
１０３Ａ：モータ、
１０３Ｆ：ワイヤ、
３００：フレーム。
【図１】
2012127620.tif 000003
【図２】
2012127620.tif 000004
【図３】
2012127620.tif 000005
【図４】
2012127620.tif 000006
【図５】
2012127620.tif 000007
【図６】
2012127620.tif 000008
【図７】
2012127620.tif 000009